(57)【要約】      （修正有）【課題】基板の裏面に座ぐりを設けなくても、ケース部材がピン結合された基板を表面実装することができる表示装置を提供する。【解決手段】表示装置１は、他の基板に表面実装される基板２と、基板２に実装されたＬＥＤチップ３と、基板２上に固定され、ＬＥＤチップ３が出射した光を反射するリフレクトケース４と、基板２の裏面側に突出しないようにリフレクトケース４を基板２に固定する固定ピン５とを備える。【選択図】図１
2018185436.tif 000002
【特許請求の範囲】
【請求項１】
他の基板に表面実装される基板と、
前記基板に実装された発光素子と、
前記基板上に固定され、前記発光素子が出射した光を反射するケース部材と、
前記基板の裏面側に突出しないように前記ケース部材を前記基板に固定する固定ピンと、
を備えた表示装置。
【請求項２】
前記固定ピンは、圧入により前記基板に固定される、
請求項１に記載の表示装置。
【請求項３】
前記ケース部材は、複数の位置決めピンにより前記基板に位置決めされた、
請求項１又は２に記載の表示装置。
【請求項４】
前記ケース部材は、複数のセグメントからなる開口パターンを有する、
請求項１から３のいずれか１項に記載の表示装置。
【発明の詳細な説明】
【技術分野】
【０００１】
本発明は、表示装置に関する。
【背景技術】
【０００２】
従来、温度等の情報を表示する表示装置が提案されている（例えば、特許文献１参照。）。
【０００３】
特許文献１に記載された表示装置は、基板と、基板に搭載されたＬＥＤ（Light Emitting Diode）チップと、基板上に設けられ、ＬＥＤチップが出射した光を反射するリフレクトケースと、基板がリフローにより実装（表面実装）される他の基板とを備える。リフレクトケースは、７セグメントによる開口パターンを有し、ＬＥＤチップの点灯を制御することにより開口パターンを介して温度等の情報を表示する。
【先行技術文献】
【特許文献】
【０００４】
【特許文献１】特開平９−２３７０５４号公報
【発明の概要】
【発明が解決しようとする課題】
【０００５】
従来の表示装置において、リフレクトケースと基板とをピン結合により固定する場合、リフレクトケースの底面に突部を設けておき、基板に形成した貫通孔にリフレクトケースの突部を挿入し、突部の先端を熱溶融して潰してピンが抜けないようにする方法が知られている。しかし、基板を他の基板に表面実装する場合、突部の先端が基板の裏面から突出しないように、基板の裏面に座ぐりを設ける方法が考えられるが、基板の加工工程が増えてコスト高を招く。
【０００６】
したがって、本発明の目的は、基板の裏面に座ぐりを設けなくても、ケース部材がピン結合された基板を表面実装することができる表示装置を提供することにある。
【課題を解決するための手段】
【０００７】
本発明は、上記課題を解決するため、他の基板に表面実装される基板と、前記基板に実装された発光素子と、前記基板上に固定され、前記発光素子が出射した光を反射するケース部材と、前記基板の裏面側に突出しないように前記ケース部材を前記基板に固定する固定ピンと、を備えた表示装置を提供する。
【発明の効果】
【０００８】
本発明によれば、基板の裏面に座ぐりを設けなくても、ケース部材がピン結合された基板を表面実装することができる。
【図面の簡単な説明】
【０００９】
【図１】図１は、本発明の実施の形態に係る表示装置の構成例を示す正面図である。
【図２】図２は、図１に示す表示装置の側面図である。
【図３】図３は、図１に示す表示装置の背面図である。
【図４】図４は、図１のＡ−Ａ線断面図である。
【図５】図５は、図１のＢ−Ｂ線断面図である。
【図６】図６は、図３のＣ−Ｃ線断面図である。
【発明を実施するための形態】
【００１０】
以下、本発明の実施の形態について図面を参照して説明する。なお、各図中、実質的に同一の機能を有する構成要素については、同一の符号を付してその重複した説明を省略する。
【００１１】
図１は、本発明の実施の形態に係る表示装置の構成例を示す正面図、図２は、その側面図、図３は、その背面図である。図４は、図１のＡ−Ａ線断面図、図５は、図１のＢ−Ｂ線断面図、図６は、図３のＣ−Ｃ線断面図である。
【００１２】
この表示装置１は、基板２と、基板２に搭載されたＬＥＤチップ３と、基板２上に固定され、ＬＥＤチップ３が出射した光を反射するリフレクトケース４と、リフレクトケース４を基板２にピン結合する複数の固定ピン５とを備える。ＬＥＤチップ３は、発光素子の一例である。発光素子は、ＬＥＤチップの他に、有機ＥＬ素子、半導体レーザ等を用いてもよい。また、発光素子は、ＬＥＤチップを樹脂やガラスで封止したＬＥＤパッケージ、ＬＥＤモジュール等でもよい。リフレクトケース４は、ケース部材の一例である。なお、固定ピンは１つでもよい。
【００１３】
基板２は、エポキシ樹脂等の絶縁材料から形成された基材を有し、この基材の上面（表面２ａ）に、ＬＥＤチップ３に電源を供給する一対の電極２０Ａ、２０Ｂと、一対の電極２０Ａ、２０Ｂに接続された図示しない配線パターンとが形成されている。また、基板２は、表面２ａの配線パターンに接続された複数の端子２１と、固定ピン５の後述する軸部５ａが圧入される複数の固定用孔２２と、リフレクトケース４の後述する位置決め用突部４５が圧入される複数の位置決め用孔２３とを備える。なお、各図において、符号２ｂは、基板２の裏面を示す。
【００１４】
基板２の端子２１は、基板２の端部の側面、表面２ａ、裏面２ｂに形成されている。端子２１の表面２ａの部分は、基板２の表面に形成された配線パターンに接続されている。端子２１の裏面２ｂの部分は、表面実装される他の基板上に形成された配線パターンにリフローによって接続される。
【００１５】
ＬＥＤチップ３は、下面にｐ側電極、上面にｎ側電極が形成されており、ｐ側電極は例えば導電性接着剤によって電極２０Ａに接合され、ｎ側電極はボンディングワイヤ３０によって電極２０Ｂに接合されている。なお、ＬＥＤチップ３は、赤色光、青色光、緑色光のいずれの色で発光するものでもよい。例えば、ＬＥＤチップ３に青色ＬＥＤチップを用い、青色光を黄色光に変換する蛍光体を含む封止樹脂で青色ＬＥＤチップを封止し、白色光を発光するものでもよい。また、ＬＥＤチップは、下面にｐ側電極及びｎ側電極を有するフリップチップ型のものを用いてもよい。
【００１６】
リフレクトケース４は、複数のセグメントからなる開口パターン、例えば３桁の７セグメントの開口パターンを形成する複数の開口部４０と、固定ピン５が挿入される複数の貫通孔４３と、貫通孔４３の入口側に形成された座ぐり４４と、複数の位置決め用突部４５とを備える。なお、各図において、符号４ａは、リフレクトケース４の表面、符号４ｂは、リフレクトケース４の裏面を示す。貫通孔４３は、固定ピン５の軸部５ａの直径よりも大きい直径に形成されていてもよい。
【００１７】
リフレクトケース４の開口部４０は、ＬＥＤチップ３を収容する収容部４１と、７セグメントの１つの開口パターンを構成するセグメント開口部４２とを備える。収容部４１及びセグメント開口部４２の内面がＬＥＤチップ３が出射した光を反射し、その光をセグメント開口部４２から外部に出射する反射面となる。リフレクトケース４は、耐リフロー性を有する耐熱性樹脂、例えば６Ｔナイロン、９Ｔナイロン等の熱可塑性樹脂を用いることができる。リフレクトケース４の材質として、例えば、白色樹脂材を用いてもよい。これによりＬＥＤチップ３から出射された光の反射効率を高めることができる。
【００１８】
固定ピン５は、軸部５ａと、軸部５ａの直径よりも大きい直径を有する頭部５ｂとを備える。固定ピン５は、例えば、銅合金等の金属から形成され、表面にスズ、スズ合金（半田等）等のメッキが施されている。固定ピン５の軸部５ａの長さは、基板２を他の基板に表面実装する際に、基板２が他の基板に対して浮かないようにするために固定ピン５の先端が基板２の裏面２ｂから突出しない長さとする。固定ピン５は、基板２の固定用孔２２に圧入した後、固定ピン５の合金の溶融（例えば、リフロー炉の加熱）により基板２に強固に固定される。
【００１９】
（本実施の形態の効果）
本実施の形態によれば、以下の作用、効果を奏する。
（ａ）基板２の裏面２ｂに突出しないように固定ピン５によりリフレクトケース４を基板２に固定しているので、基板２の裏面２ｂに座ぐりを設けなくても、リフレクトケース４がピン結合された基板２を他の基板に表面実装することができる。
（ｂ）位置決め突部４５によりリフレクトケース４を基板２に対して位置決めしているので、固定ピン５による固定が容易になる。
【００２０】
［変形例］
なお、本発明の実施の形態は、上記実施の形態に限定されるものではなく、本発明の要旨を変更しない範囲内で種々に変形、実施が可能である。上記実施の形態では、３桁の７セグメント表示器について説明したが、本発明は他のＬＥＤ表示装置に適用することができる。また、リフレクトケース４の表面４ａに開口部４０を抜いて遮光印刷された拡散シートを設けてもよい。これにより斜め方向からでも表示内容が見やすくなる。
【産業上の利用可能性】
【００２１】
本発明は、温度、湿度等のセンサの値やカウント値等の値を表示する産業機器（工作機器等）、得点等を表示するアミューズメント機器（ゲーム装置等）、７セグメント、１６セグメント等を使用したセグメント表示装置、英数字を表示する英数字表示装置、ＬＥＤチップがマトリクス状に配列されたドットマトリクス表示装置、自動販売機の金額表示装置等に適用することができる。
【符号の説明】
【００２２】
１…表示装置、２…基板、２ａ…表面、２ｂ…裏面、３…ＬＥＤチップ、
４…リフレクトケース、４ａ…表面、４ｂ…裏面、５…固定ピン、５ａ…軸部、
５ｂ…頭部、２０Ａ、２０Ｂ…電極、２１…端子、２２…固定用孔、
２３…位置決め用孔、３０…ボンディングワイヤ、４０…開口部、４１…収容部、
４２…セグメント開口部、４３…貫通孔、４４…座ぐり、４５…位置決め用突部
【図１】
2018185436.tif 000003
【図２】
2018185436.tif 000004
【図３】
2018185436.tif 000005
【図４】
2018185436.tif 000006
【図５】
2018185436.tif 000007
【図６】
2018185436.tif 000008